(57)【要約】【課題】一回の記録単位をタイトル単位で行うのかチャプタ単位で行うかをユーザが選択できるようにする。【解決手段】動画像データを所定単位で管理する第１の動画管理単位と、さらに複数の単位に分割して管理する第２の動画管理単位を有する動画像データ管理情報をユーザの選択結果に従って生成するようにして、記録開始から記録終了までの動画像データを管理する仕方を、第１の動画管理単位で記録するか、第２の動画管理単位で記録するかをユーザが任意に選択できるようにする。【選択図】図１
2007299498.tif 000002
【特許請求の範囲】
【請求項１】
動画像データを記録媒体に記録する記録手段と、
前記記録媒体に記録された動画像データを、第１の管理単位か、１つ以上の前記第１の管理単位からなる第２の管理単位の何れかに従って管理するようにするための管理情報を生成する管理情報生成手段と、
記録開始から記録停止までの一連の前記動画像データを、前記第１の管理単位または前記第２の管理単位のうち、何れの単位に従って管理するのかを任意に選択する選択手段とを備え、
前記管理情報生成手段は、前記選択手段の選択結果に従って前記管理情報を生成することを特徴とする記録装置。
【請求項２】
前記管理情報生成手段は、前記選択手段の選択結果を示す情報を前記管理情報に格納することを特徴とする請求項１に記載の記録装置。
【請求項３】
前記管理情報生成手段は、前記選択手段の選択結果に基づき、前記第２の管理単位に含まれる前記第１の管理単位が前記一連の動画像データであるのか、前記第２の管理単位が前記一連の動画像データであるのかを示す情報を前記管理情報に格納することを特徴とする請求項１に記載の記録装置。
【請求項４】
前記管理情報生成手段は、前記第１の管理単位を予め決められた数だけまとめて前記第２の管理単位とすることを特徴とする請求項１〜３の何れか１項に記載の記録装置。
【請求項５】
前記記録媒体はDVDメディアであり、前記第１の管理単位はＤＶＤビデオフォーマットにおけるチャプタであり、前記第２の管理単位はタイトルであることを特徴とする請求項１〜４の何れか１項に記載の記録装置。
【請求項６】
被写体を撮影して前記動画像データを出力する撮像部と、
前記動画像データの記録開始及び記録停止を指示する指示部とを備えたことを特徴とする請求項１〜５の何れか１項に記載の記録装置。
【請求項７】
前記記録手段は、前記管理情報生成手段により生成された管理情報を前記動画像データと共に前記記録媒体に記録することを特徴とする請求項１〜６の何れか１項に記載の記録装置。
【請求項８】
動画像データを記録媒体に記録する記録工程と、
前記記録媒体に記録された動画像データを、第１の管理単位か、１つ以上の前記第１の管理単位からなる第２の管理単位の何れかに従って管理するようにするための管理情報を生成する管理情報生成工程と、
記録開始から記録停止までの一連の前記動画像データを、前記第１の管理単位または前記第２の管理単位のうち、何れの単位に従って管理するのかを任意に選択する選択工程とを備え、
前記管理情報生成工程において、前記選択工程の選択結果に従って前記管理情報を生成することを特徴とする記録方法。
【請求項９】
動画像データを記録媒体に記録する記録工程と、
前記記録媒体に記録された動画像データを、第１の管理単位か、１つ以上の前記第１の管理単位からなる第２の管理単位の何れかに従って管理するようにするための管理情報を生成する管理情報生成工程と、
記録開始から記録停止までの一連の前記動画像データを、前記第１の管理単位または前記第２の管理単位のうち、何れの単位に従って管理するのかを任意に選択する選択工程とを備え、
前記管理情報生成工程において、前記選択工程の選択結果に従って前記管理情報を生成する記録方法をコンピュータに実行させることを特徴とするプログラム。
【請求項１０】
請求項９に記載のプログラムを記録したことを特徴とするコンピュータ読み取り可能な記録媒体。
【発明の詳細な説明】
【技術分野】
【０００１】
本発明は記録装置及び記録方法に関し、特に、記録開始から記録終了までの動画像データを管理するために用いて好適な技術に関する。
【背景技術】
【０００２】
近年、ハードディスク（ＨＤＤ）やＤＶＤなどのディスク媒体に対してテレビジョン放送を受信して記録するビデオレコーダが普及している。このようなビデオレコーダでは、１回に記録したコンテンツをタイトルという単位で管理することが一般的である。また、このタイトルを更に細かい単位で管理するため、チャプタという単位を設け、頭だしなどに利用するものもある。
【０００３】
また、再生時には、各タイトルの代表画像（サムネイル画像）の一覧を表示し、ユーザがこれらのタイトルの中から再生したいタイトルの代表画像を選択する、といったＧＵＩを利用する構成が主流である。また、タイトルの代表画像ではなく、チャプタ毎に代表画像を表示する機能を持つものもある。
【０００４】
一方、ビデオカメラにおいても、従来の磁気テープに代わり、ＤＶＤに対して撮影した画像を記録する装置も登場している（例えば、特許文献１参照）。ＤＶＤを利用したビデオカメラでは、１回に撮影したシーンを、タイトルではなく、チャプタとして記録しておき、所定数のシーン（チャプタ）を撮影した時点で一つのタイトルにまとめて管理している。
【０００５】
【特許文献１】特開２００４−２０１１７０号公報
【発明の開示】
【発明が解決しようとする課題】
【０００６】
特許文献１に代表されるビデオカメラにおいては、一般に、１回の撮影シーンをチャプタとして管理する一方、所定数のチャプタをまとめてタイトルとして管理している。
これに対し、ビデオレコーダでは、再生時にタイトル毎の代表画像の一覧を表示して再生コンテンツを選択するＧＵＩが一般的である。このため、ビデオカメラにより撮影された動画像が記録されたＤＶＤをビデオレコーダにより再生しようとした場合、タイトル毎の代表画像しか表示されない問題点があった。
【０００７】
したがって、実際には一つのタイトル内には複数のシーン（チャプタ）が含まれているにもかかわらず、再生する場合にはタイトル単位でしか再生することができず、非常に使い勝手が悪い問題点があった。
本発明は前述の問題点にかんがみ、ビデオカメラにおける一回の記録単位を、用途に合わせてユーザが任意に選択できるようにすることを目的としている。
【課題を解決するための手段】
【０００８】
本発明の記録装置は、動画像データを記録媒体に記録する記録手段と、前記記録媒体に記録された動画像データを、第１の管理単位か、１つ以上の前記第１の管理単位からなる第２の管理単位の何れかに従って管理するようにするための管理情報を生成する管理情報生成手段と、記録開始から記録停止までの一連の前記動画像データを、前記第１の管理単位または前記第２の管理単位のうち、何れの単位に従って管理するのかを任意に選択する選択手段とを備え、前記管理情報生成手段は、前記選択手段の選択結果に従って前記管理情報を生成することを特徴とする。
【０００９】
本発明の記録方法は、動画像データを記録媒体に記録する記録工程と、
前記記録媒体に記録された動画像データを、第１の管理単位か、１つ以上の前記第１の管理単位からなる第２の管理単位の何れかに従って管理するようにするための管理情報を生成する管理情報生成工程と、記録開始から記録停止までの一連の前記動画像データを、前記第１の管理単位または前記第２の管理単位のうち、何れの単位に従って管理するのかを任意に選択する選択工程とを備え、前記管理情報生成工程において、前記選択工程の選択結果に従って前記管理情報を生成することを特徴とする。
【００１０】
本発明のプログラムは、動画像データを記録媒体に記録する記録工程と、
前記記録媒体に記録された動画像データを、第１の管理単位か、１つ以上の前記第１の管理単位からなる第２の管理単位の何れかに従って管理するようにするための管理情報を生成する管理情報生成工程と、記録開始から記録停止までの一連の前記動画像データを、前記第１の管理単位または前記第２の管理単位のうち、何れの単位に従って管理するのかを任意に選択する選択工程とを備え、前記管理情報生成工程において、前記選択工程の選択結果に従って前記管理情報を生成する記録方法をコンピュータに実行させることを特徴とする。
【発明の効果】
【００１１】
本発明によれば、記録開始から記録終了までの動画像データを管理する単位を、ユーザが任意に選択することができる。
【発明を実施するための最良の形態】
【００１２】
（第１の実施形態）
「ビデオカメラの説明」
図１は、本実施形態のビデオカメラの内部構成を説明する図である。
図１において、１３０はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１３０によって、最終的に後述のＣＣＤ１３１の結像面上に被写体像が結像される。１３１はＣＣＤ（charge coupled device）であり、光を電荷に変換し撮像信号を生成する。
【００１３】
１３２はＡ／Ｄ処理部であり、撮像信号に所定の処理を施しデジタル画像データを出力する。また、これらを総じてカメラユニットとする。また、図１には図示していないが、変倍レンズ群、絞りなどのアクチュエータ、手ぶれ補正のためのセンサー（例えば角速度センサー）、同補正手段（シフトレンズなど）が備えられている。
【００１４】
１３５はカメラ制御マイクロコンピュータであり、後述のマイクロコンピュータ１１０の制御に従いカメラユニットを制御するものである。また、カメラユニットの情報、例えば合焦情報、手ぶれ情報などのカメラユニットから得られる情報をマイクロコンピュータ１１０に伝達する役割も果たしている。１３３はマイクユニットである。マイクユニット１３３は撮影時に音声を集めるために備わっており、所定の増幅、帯域制限等が含まれる。１３４はＡ／Ｄ処理部であり、マイクユニット１３３の出力を受けてデジタル音声データを出力する。
【００１５】
１１０はマイクロコンピュータであり、システム全体を制御する。マイクロコンピュータ１１０は、プログラムを格納する不揮発性メモリ（ROM）、作業領域となる揮発性メモリ（RAM）、他のハードウエアとデータの受け渡しや制御用レジスタをアクセスするための外部バス、時間を計測するタイマを少なくとも有している。１０３はバスである。バス１０３には各ブロックが接続されており、マイクロコンピュータ１１０の制御に従ってデータの受け渡しを行う伝送路である。
【００１６】
１０２はエンコーダ部であり、マイクロコンピュータ１１０の制御に従いデジタル画像データ、及びデジタル音声データを受け、MPEG（Moving Picture Experts Group）２方式で圧縮し、さらに時系列順に多重化して圧縮ビデオデータを生成する。また、エンコーダ部１０２には、例えばデータ位置とフレーム位置の変換に必要となる情報などをマイクロコンピュータ１１０に通知する機能を備えている。
【００１７】
１０４は記録再生回路であり、エンコーダ部１０２と、後述のメモリ１０６、光ディスク１２０、及びデコーダ部１０８とのインターフェースを有し、マイクロコンピュータ１１０の制御によってデータの受け渡しを制御する。１０６はメモリであり、各ブロックが作業用に使用可能となっている。
【００１８】
１２０は光ディスクである。本実施形態では、光ディスク１２０として、ＤＶＤディスクを使用するが、もちろんこれ以外のディスクを用いてもよい。記録再生回路１０４は、バス１０３に接続されるマイクロコンピュータ１１０やメモリ１０６とのインターフェースと、光ディスク１２０とのインターフェースを有している。そして、マイクロコンピュータ１１０等から光ディスク１２０の制御レジスタにアクセスするための変換を行うものである。
【００１９】
なお、光ディスク１２０はメディアそのもののみではなく、ヘッド、モータを含むメカデッキ、それらを制御する制御回路、及び記録再生回路１０４と接続可能なインターフェース（例えばATAPI  I/F）を有し、光ディスクにデータ等を読み書き可能なユニットのことである。記録再生回路１０４には、メモリ１０６の先頭アドレスとデータ量、及び光ディスク１２０の書き込む先頭セクタを指定することにより、読み出しまたは書き込みデータを自動転送する、所謂ダイレクトメモリーアクセス（DMA）機能が備わっている。
【００２０】
１０８はデコーダ部であり、マイクロコンピュータ１１０に指定されたメモリ１０６のアドレスから圧縮ビデオデータや圧縮静止画データを逐次読み出し、例えばITU-R BT.656（CCIR656）等のデジタル映像信号、及びデジタル音声信号に変換して出力する。圧縮静止画データの再生時には、必要があれば縮小処理を行うことができるように工夫されている。
【００２１】
１０７は音声出力部、１０９は映像出力部である。映像出力部１０９、音声出力部１０７はデコーダ部１０８によって変換されたデジタル映像信号、及びデジタル音声信号をそれぞれアナログ信号に変換し外部に出力するためのブロックであり、テレビジョン受像機等に接続される。１１６はスピーカーユニットであり、前述デジタル音声信号を受け音声を再生するためのものである。
【００２２】
１１３はオンスクリーンディスプレイ（OSD）部であり、後述する各種設定を行うためのメニュー画面やタイトル、時間などの情報をビデオ出力に重畳させるものである。またOSD  部１１３には、デコーダ部１０８から入力されるデジタル映像信号をキャプチャーし、縮小処理を施し、任意の位置に重畳させる機能も兼ね備えている。
【００２３】
１１２は操作スイッチ群、１６２はトリガースイッチ、１６３はモードダイアルである。いずれもユーザ操作によって入力された信号をマイクロコンピュータ１１０が判定して動作させるものである。
【００２４】
モードダイアル１６３は回転式スイッチであり、動画撮影を行うカメラモード、主電源を遮断するオフモード、さらに撮影像の再生を行う再生モードを選択するものである。トリガースイッチ１６２はカメラモードでは動画像記録開始要求、または停止要求としてマイクロコンピュータ１１０は認識する。
【００２５】
１１５はリアルタイムクロックであり、カレンダー及び時刻情報をマイクロコンピュータ１１０に伝達するためのものである。また初期値とカウント開始命令はユーザが操作スイッチ１１２によって入力し、マイクロコンピュータ１１０を介して与えられる。録画コンテンツに付与されるタイムスタンプ情報等に利用する。
【００２６】
マイクロコンピュータ１１０は所定のファイルシステムを扱うソフトウェアを搭載しており、このファイルシステムに従って光ディスク１２０へのデータの読み書きが行われる。１７０はＥＥＰＲＯＭであり、書き換え可能なＲＯＭである。ＲＯＭ１７０は機器の設定状態などを記憶するために設けられている。
【００２７】
１５０はＥＶＦ（Electronic View Finder）であり、被写体を覗く小窓として用いられるものである。１５１は液晶パネルであり、被写体を表示するためのモニタ画面として用いられる。１５２はパネル開閉検出スイッチであり、液晶パネル３２の開閉状態をマイクロコンピュータ１０に通知するものである。１６１は第２のトリガースイッチであり、カメラモードでは静止画層記録開始要求、または停止要求としてマイクロコンピュータ１１０は認識する。
【００２８】
「録画動作」
次に、動画像の録画動作の流れを説明する。
まず、電源を投入されるとマイクロコンピュータ１１０は光ディスク１２０から前述のファイルシステムに則って録画可能（空き）領域の検索を行う。この時、録画可能容量を算出し、録画可能容量と録画モードから録画可能時間を算出する。以降、録画中は録画可能容量の減少を監視し、定期的に録画可能時間を更新していく。
【００２９】
マイクロコンピュータ１１０はスイッチの状態を常に検出し、ユーザの操作を監視している。以下、ユーザの操作は断りのない限り操作スイッチ群１１２等のユーザーインターフェースを介してマイクロコンピュータ１１０に操作を伝えるものとする。次に、ユーザが録画開始要求を発生させると、カメラ画像及び音声の記録を開始すべく、マイクロコンピュータ１１０が各ブロックを制御する。
【００３０】
まず、エンコーダ部１０２にはMPEG２エンコード処理を開始させ、圧縮ビデオデータを、記録再生回路１０４を介してメモリ１０６の所定アドレスを先頭に蓄積するよう制御する。そして、所定量のデータを蓄積する毎にエンコーダ部１０２はマイクロコンピュータ１１０に割り込み等の手段により通知する。
【００３１】
マイクロコンピュータ１１０はこの通知を受け、次に蓄積すべき先頭アドレスを記録再生回路１０４に通知する。さらに、マイクロコンピュータ１１０はメモリ１０６に蓄積された圧縮ビデオデータを光ディスク１２０に書き込むように光ディスク１２０及び記録再生回路１０４にコマンドを発行する。
【００３２】
この時、光ディスク１２０に書き込む領域はファイルシステムに則って検索された記録可能（空き）領域である。このエンコード処理から光ディスク１２０への書き込みまでの一連の処理が、録画停止要求が発生するまで繰り返される。なお、本実施形態では、ＤＶＤビデオフォーマットに従いＭＰＥＧデータをディスク１２０に記録する。
【００３３】
また、少なくとも所定数のチャプタが作成されると次のタイトルを作成し、そのタイトル内にチャプタを作成していく。この様子について図２を用いて説明する。
図２では、説明を簡略化するために前述の所定数のチャプタを４とするが、これに限るものではない。例えば、ＤＶＤビデオフォーマットでは、一つのタイトルに格納可能なチャプタの数は９９である。また、一枚のディスクに記録可能なタイトル数は９９となる。
【００３４】
２０１、２０２はそれぞれタイトルである。２０１＿１、２０１＿２、２０１＿３、２０１＿４はそれぞれチャプタである。最初の撮影で記録されるのはチャプタ２０１＿１であり、１タイトルにチャプタが４つとなるチャプタ２０１＿４が記録されたところでタイトル２０１への追加をやめ、次の記録時にタイトル２０２が作成され、チャプタが記録されるといった流れである。
【００３５】
マイコン１１０は、ディスク１２０に対する記録動作に伴い、ディスク１２０に記録された動画像データを管理するための管理情報を生成し、記録再生回路１０４を介してディスク１２０に記録する。
【００３６】
図３は、ディスク１２０に記録された動画像データのタイトルやチャプタを管理するための動画管理情報の構造を説明するための図である。なお、ここでは本実施形態の記録装置に必要となる事項のみ説明するので、実際には他のさまざまな情報も記録されている。
【００３７】
３０１は動画管理情報をイメージ化したものであり、例えば一つのファイルである。
３０２、３０３はタイトル情報であり、それぞれタイトルに対応して作成される。３０４、３０５、３０６、３０７、３０８はそれぞれチャプタ情報であり、やはりそれぞれチャプタに対応して作成されるものである。なお、図３は先に説明した図２と対応している。本実施形態では、一回の記録単位をチャプタ、タイトルのいずれかを選択可能とする。
【００３８】
次に、ユーザが記録単位を選択するためのＧＵＩについて説明する。
図４は、機器の設定を行うメニュー画面のレイアウトを説明するための図である。
ここで例とするメニューは三階層であり、一層目はメイン（カテゴリ）選択、二層目は機能項目選択、そして三層目は機能項目を設定する画面で構成されている。それぞれ順に説明していく。
【００３９】
４０１は液晶パネル１５１に表示されるメニュー画面である。
４０２〜４０７はメインメニューアイコンであり、設定の大項目（カテゴリ）を選択するためのビットマップである。メインメニューアイコンは、いずれか一つのみフォーカスされる。
【００４０】
図９に、アイコンの表示例を示す。図９において、１００１は非フォーカス時のメインメニューアイコンの一例である。同様に、１００２はフォーカス時のものである。このように、ビットマップを変化させるなどしてフォーカス位置を知らしめるものである。
【００４１】
４０８は名称表示領域であり、選択名称などを表示するための領域である。
４０９は選択項目表示領域であり、フォーカスに対応した機能項目などを表示するための領域である。
【００４２】
次に、具体的に録画単位を設定するまでの流れを説明する。
本実施形態では、記録開始の指示から記録停止の指示までの間に撮影された一連の動画像データ（以下シーン）を、一つのタイトルとして管理するか、或いは、一つのチャプタとして管理するかを、ユーザが任意に選択可能である。ここでは図５，６，７Ａ、８Ａ、８Ｂ、及び７Ｂを使って、録画単位をチャプタからタイトルに設定を変更する場合について説明する。
【００４３】
図５は、一層目を説明するための図である。
メインメニューアイコン４０５は"システム設定"のアイコンであり、図５ではフォーカスがあたっている状態を示している。領域４０８にはメインメニュー４０５に対応した名称が表示されている。
【００４４】
同様に、領域４０９にはシステム設定にグループ化された機能が表示される。ここでは領域４０９は６１０と６１１で示す二つの領域で構成されている。領域６１０は機能項目群、領域６１１は機能設定値（状態）が表示される。７１０は機能設定値であり、"チャプタ"が設定されていることを示している。
【００４５】
図６は、二層目を説明するための図であり、図５の状態から、ユーザによって決定を意味するキー（以降決定キーと呼ぶ）を押したときに遷移するものである。図６において、６１２はカーソルであり、機能項目群のいずれかにフォーカスをあてるために表示されている。
【００４６】
図６では、リモコンセンサーがフォーカスされている。この後ユーザが上下移動のためのキー（以降上下キー）を操作することにより所望の項目にフォーカスを移動させるものである。この操作によって"録画単位"にフォーカスがあったっている状態が図７Ａである。１シーンを管理する単位をタイトルとチャプタとの間で切り替える場合には、この"録画単位"の項目を選択する。
【００４７】
ここで、やはり決定キーを押すことにより図８Ａの状態に遷移する。
図８Ａは、三層目を説明するための図である。領域４０８には二層目で選択した機能項目"録画単位"が表示される。８１０、８１１はそれぞれ選択肢であり、フォーカス、非フォーカスと二つの状態を持ち、いずれか一つにフォーカスがあたる。選択肢８１０はチャプタとして管理する構成、選択肢８１１はタイトルとして管理する構成を示す選択肢である。
【００４８】
図８Ａでは、選択肢８１０にフォーカスがあたっている。ユーザは上下キーによりフォーカスを移動させる。図８Ｂはこの操作によりタイトル単位にフォーカスを移動した状態である。ここで再び決定キーを押すと二層目へ遷移する（戻る）。
【００４９】
この二層目に再度遷移した状態が図７Ｂである。図７Ｂでは、三層目の操作が反映され、機能設定値７１０はタイトル単位を示す"タイトル"に変化する。これ以降、マイクロコンピュータ１１０によってＥＥＰＲＯＭ１７０に書き込み、変更された状態を保持する。再度選択操作が実行されるか、または所定の操作によって機器の状態を初期化するまで保持する。このようなＧＵＩにより、ユーザが記録単位を選択可能とする。
【００５０】
図１０は、録画開始要求時に処理する内容を説明するフローチャートである。
ステップＳ１３０２は録画単位設定がチャプタ単位であるかタイトル単位であるかを判定し、チャプタ単位のときはステップＳ１３０３へ、またタイトル単位のときにはステップＳ１３０４へそれぞれ遷移する。
【００５１】
前述の通り、ユーザが選択可能である録画単位の設定情報を読み出し判定するものである。
ステップＳ１３０３はタイトル単位記録処理である。よって一シーンを記録するごとにタイトルを作成する。ステップＳ１３０４はチャプタ単位記録処理である。よって一シーンを記録するごとにチャプタを生成し、所定の条件を満たすときタイトルを作成していく。
【００５２】
また、本実施形態では、動画管理情報には、少なくともタイトル単位にそのタイトルがいずれの管理単位で録画されたものであるか判定可能な情報をも記録する。例えばタイトル情報３０２、３０３に１ビットの判別データを格納し、その論理に従い、当該タイトルが一つのシーンで構成されているか、複数のシーンで構成されているかを判定可能とする。
【００５３】
これまで説明してきたように本実施形態によれば、ユーザが設定した記録単位（チャプタ単位、タイトル単位のいずれか）に従って録画を行うことができるビデオカメラを実現できる。
また、記録単位はメニューなどの機器を設定する機能を利用して記憶させるので、同一の録画操作でどちらの記録単位でも録画することが可能であり、操作キーの割り当てを増やすことも無く、また撮影時に混乱を招くこともない。
【００５４】
（本発明に係る他の実施形態）
前述した本発明の実施形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５５】
また、本発明は、例えば、システム、装置、方法、プログラムもしくは記憶媒体等としての実施形態も可能であり、具体的には、複数の機器から構成されているシステムに適用してもよいし、また、一つの機器からなる装置に適用してもよい。
【００５６】
なお、本発明は、前述した実施形態の機能を実現するソフトウェアのプログラム（実施形態では図１０に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５８】
その場合、プログラムの機能を有していれば、オブジェクトコード、インタプリタにより実行されるプログラム、ＯＳに供給するスクリプトデータ等の形態であってもよい。
【００５９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００６０】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００６３】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６４】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６５】
【図１】本発明の実施形態を示し、ビデオカメラの構成例を説明する図である。
【図２】光ディスクに記録されるタイトルの構造例を示す図である。
【図３】動画管理情報を説明する図である。
【図４】メニュー画面の一例を説明するための図である。
【図５】メニュー画面の一例を説明するための図である。
【図６】メニュー画面の一例を説明するための図である。
【図７Ａ】メニュー画面の一例を説明するための図である。
【図７Ｂ】メニュー画面の一例を説明するための図である。
【図８Ａ】メニュー画面の一例を説明するための図である。
【図８Ｂ】メニュー画面の一例を説明するための図である。
【図９】アイコンの表示例を示す図である。
【図１０】実施形態の特徴を説明するためのフローチャートである。
【符号の説明】
【００６６】
１０２  エンコーダ部
１０３  バス
１０４  記録再生回路
１０６  メモリ
１０７  音声出力部
１０８  デコーダ部
１０９  映像出力部
１１０  マイクロコンピュータ
１１２  操作スイッチ群
１１３  オンスクリーンディスプレイ（OSD）部
１１５  リアルタイムクロック
１１６  スピーカーユニット
１２０  光ディスク
１３０  レンズユニット
１３１  ＣＣＤ（charge coupled device）
１３２  Ａ／Ｄ処理部
１３３  マイクユニット
１３４  Ａ／Ｄ処理部
１３５  カメラ制御マイクロコンピュータ
１６１
１６２  トリガースイッチ
１６３  モードダイアル
１７０  ＥＥＰＲＯＭ
【図１】
2007299498.tif 000003
【図２】
2007299498.tif 000004
【図３】
2007299498.tif 000005
【図４】
2007299498.tif 000006
【図５】
2007299498.tif 000007
【図６】
2007299498.tif 000008
【図７Ａ】
2007299498.tif 000009
【図７Ｂ】
2007299498.tif 000010
【図８Ａ】
2007299498.tif 000011
【図８Ｂ】
2007299498.tif 000012
【図９】
2007299498.tif 000013
【図１０】
2007299498.tif 000014